【事件の表示】
　特許第２７９６６５３号「投影型液晶表示装置」の特許に対する特許異議の申立てについて、次のとおり決定する。
【結論】
　訂正を認める。
　特許第２７９６６５３号の特許を維持する。
【理由】
１．手続の経緯
　本件の特許第２７９６６５３号は、昭和６３年１月２５日に出願された実願昭６３−７０６９号の実用新案登録出願を、平成４年１月２３日に特許法第４６条第１項の規定により、特許出願に変更したものであり、平成１０年７月３日にその設定登録がなされ、その後、申立人　セイコ−エプソン株式会社より特許異議申立がなされ、取消理由通知がなされ、その指定期間内である平成１１年８月３０日に訂正請求がなされたものである。
２．訂正の適否についての判断
２−１．訂正の適否についての判断
２−１−１訂正後の発明
　訂正後の請求項１に係る発明は、訂正明細書の特許請求の範囲の請求項１に記載された次の事項によって特定されるものである。
　「３枚の液晶パネルと光源と投影レンズとを有し、前記光源からの光を赤、緑、青の三原色光に分離して、その赤色光を第１の液晶パネルに、緑色光を第２の液晶パネルに、青色光を第３の液晶パネルにそれぞれ入射させるとともに、前記各液晶パネルを透過した赤、緑、青の光を重ね合せてフルカラ−画像光をつくり、このフルカラ−画像光を前記投影レンズによりスクリ−ンに投影する投影型液晶表示装置において、前記光源と前記３枚の液晶パネルと間の光路をそれぞれ複数のミラ−を利用して構成するとともに、前記３枚の液晶パネルの光入射面に同一の偏光成分が強い光を入射させるように前記ミラ−を配置し、前記３枚の液晶パネルの光入射側偏光板の透過軸を前記特定の偏光成分に合わせたことを特徴とする投影型液晶表示装置。」（以下「本件発明」という。）
２−１−２訂正の要旨
　特許権者が求めている訂正の内容は、特許第２７９６６５３号明細書の特許請求の範囲の請求項１及び発明の詳細な説明の段落番号【００２９】に記載された「前記３枚の液晶パネルの光入射面にそれぞれ特定の偏光成分が強い光を入射させるように前記ミラ−を配置し、」を、特許請求の範囲の減縮を目的として、「前記３枚の液晶パネルの光入射面に同一の偏光成分が強い光を入射させるように前記ミラ−を配置し、」と訂正するものである。
２−１−３．訂正の目的の適否、新規事項の有無及び拡張・変更の存否
　上記訂正事項は、本件発明を特定する３枚の液晶パネルに入射する光の偏光状態の関係を願書に添付された明細書及び図面の記載に基づいて限定するものであり、特許請求の範囲の減縮を目的とするものである。また、これは願書に添付した明細書又は図面に記載した事項の範囲内の訂正であり、実質上特許請求の範囲を拡張し、又は変更するものでもない。
２−１−４．独立特許要件の判断
２−１−４−１．刊行物
　当審が発した取消理由通知書において引用した先願及び刊行物は以下のとおりであり、刊行物３を除いて異議申立人が提示した甲第１号証〜甲第４号証に対応する。
　先願１：特願昭６２−２５４１３６号（特開平１−９５６８８号（甲第１号証））
　先願２：特願昭６２−６７３２５号（特開昭６３−２３４２８１号（甲第３号証））
　刊行物１：特開昭６１−１０２８９２号公報（甲第２号証）
　刊行物２：特開昭６２−８１６２７号公報（甲第４号証）
　刊行物３：久保田広著「応用光学」（１９７６年５月１０日第１５刷　岩波書店発行）［刊行物］［先願１］（特開平１−９５６８８号）
　第２頁左下欄第９行目〜右下欄下から第７行目に、「第１図において、１はハロゲンランプあるいはキセノンランプ等の光源、２、２はコ−ルドミラ−、３、３は光源からの光を直交する２系統のほぼ平行な光線に分割するコンデンサレンズである。４〜８は第１〜第５のダイクロイックミラ−で、第１のダイクロイックミラ−４は緑Ｇに対応する波長帯の光を反射するミラ−、第２のダイクロイックミラ−５および第３ダイクロイックミラ−６は赤Ｒに対応する波長帯の光を反射するミラ−、第４のダイクロイックミラ−７および第５のダイクロイックミラ−８は青Ｂに対応する波長帯の光を反射するミラ−である。９〜ｌｌは第１〜第３の液晶パネルで、ポジタイプのＴＮ型液晶を用いており、それぞれの両面に配置される偏光板９ａと９ｂ、１０ａと１０ｂ、ｌｌａとｌｌｂは互いに直交する偏光軸を有している。第１の液晶パネル９と第２の液晶パネル１０に配置される偏光板９ａと９ｂおよび１０ａと１０ｂは、それぞれのパネル９、１０を透過することによって第３のダイクロイックミラ−６にＰ波偏光の光線が入射されるようにその偏光軸が構成してある。第３の液晶パネル１１に配置される偏光板１１ａとｌｌｂは、このパネルｌｌを透過することによって第４のダイクロイックミラ−７にＳ波偏光の光線が入射されるようにその偏光軸が構成してある。１２は投写レンズ系である。」と記載されている。
　第３頁右上欄第１３行目〜右下欄第３行目に、「一般に反射鏡においては、反射、屈折時に境界面の屈折率差の影響を受けて反射面内の振動方向の光（Ｓ波偏光）は垂直方向の光（Ｐ波偏光）に比べ強くなることが知られている。特にダイクロイックミラ−では選択波長の帯域差になって表われ、色純度、合成色相および明度に無視できない影響を与える。本例において光路Ｉでは、第１のダイクロイックミラ−４で比較的広く選択された帯域のＳ波の反射光が第１の液晶パネル９に入ってＰ波に変換され、第３および第５のダイクロイックミラ−６、８では少ない帯域制限を受けて投写レンズ系１２に入る。…（途中省略）…光路ＩＩでは、同様に第２のダイクロイックミラ−５で比較的広く選択された帯域のＳ波の反射光が第２の液晶パネル１０に入ってＰ波に変換され、第３のダイクロイックミラ−６ではＰ波偏光の光として入射するので帯域制限されて反射し、第５のダイクロイックミラ−８を透過して投写レンズ系１２に入る。…（途中省略）…ついで光路ＩＩＩでは、第２のダイクロイックミラ−５を透過した光が第３の液晶パネル１１に入射するが、第２のダイクロイックミラ−５の透過光はＳ波よりＰ波が多く、また第３の液晶パネル１１ではＰ波をＳ波に変換するようにその偏光板を構成したので、第３の偏光パネル１１の透過光はＳ波偏光であり、第４及び第５のダイクコイックミラ−７、８によって帯域制限を大きく受けないで投写レンズ系１２に入る。」と記載されている。
［先願２］（特開昭６３−２３４２８１号）
　第１図には、３枚の液晶パネル１２、１４、１６と光源１と投影レンズ１８とを有し、光源１からの光を赤、緑、青の三原色光に分離して、その赤色光を液晶パネル１２に、緑色光を液晶パネル１４に、青色光を液晶パネル１６にそれぞれ入射させるとともに、各液晶パネル１２、１４、１６を透過した赤、緑、青の光を重ね合せてフルカラ−画像光をつくり、このフルカラ−画像光を投影レンズ１８によりスクリ−ンに投影する投影型液晶表示装置において、光源１と３枚の液晶パネル１２、１４、１６と間の光路をそれぞれ複数のミラ−を利用して構成すること記載されている。
　また、液晶パネル１２に入射する光は、「赤色光のＳ偏光成分波を反射するミラ−１０」（第２頁左下欄第３行目〜第４行目）からのものであるから、Ｓ偏光成分波の光であり、液晶パネル１６に入射する光は、「青色光のＳ偏光成分波を反射する前記ミラ−８、９」からのものであるから、Ｓ偏光成分波の光である。また、液晶パネル１４にはダイクロイックミラ−７を反射した光が入射し、この光は、ダイクロイックミラ−７で反射されたのでＰ偏光成分が強い光である。従って、３枚の液晶パネルの光入射面にそれぞれ特定の偏光成分が強い光を入射させるようにミラ−を配置したことが示されている。
［刊行物１］（特開昭６１−１０２８９２号公報）
　刊行物１は、投写型表示装置に関する。第１図には、３枚の液晶パネルと光源と投影レンズとを有し、前記光源からの光を赤、緑、青の三原色光に分離して、その赤色光を第１の液晶パネルに、緑色光を第２の液晶パネルに、青色光を第３の液晶パネルにそれぞれ入射させるとともに、前記各液晶パネルを透過した赤、緑、青の光を重ね合せてフルカラ−画像光をつくり、このフルカラ−画像光を前記投影レンズによりスクリ−ンに投影する投影型液晶表示装置が示されている。
　詳しくは、第２頁左下欄第４行目〜第９行目に、「ダイクロイックミラ−９は、青色光を反射させると共に、黄色光を透過させる特性を持つものが用いられている。このダイクロイックミラ−９で反射されたＸ軸の青色光は、ミラ−１０で反射された後、後述する制御回路２５から加えられるＢ信号により制御される液晶１１を透過する」と記載され、第２頁右下欄第８行目〜第１３行目に、「ダイクロイックミラ−９を透過した黄色光はダイクロイックミラ−１３に入射される。このダイクロイックミラ−１３は、緑色光を透過させると共に、赤色光を反射させる特性を持つものが用いられている。反射された赤色光はミラ−１４で反射されて液晶１５を透過する。」と記載され、第２頁右下欄下から第２行目〜第３頁左上欄第２行目に、「ダイクロイックミラ−１３を透過した緑色光はミラ−１７で反射された後、制御回路２５から加えられるＧ信号で制御されるＴＦＴ型液晶１８に入射される」と記載されている。
　赤、緑、青の光を重ね合せてフルカラ−画像光をつくることについては、第３頁左上欄第３行目〜下から第５行目に、「緑色光は上記ダイクロイックミラ−１６に入射される。…（途中省略）…液晶１８からの緑色光を透過させると共に、液晶１５からの赤色光を反射させ、その出力光は黄色光となる。この黄色光は前記ダイクロイックミラ−１２に入射される。…（途中省略）…上記黄色光を透過させると共に、液晶１１からの青色光を反射させ、その出力光として、夫々偏光変調がかけられた、青色光、赤色光及び緑色光の合成光が得られる。」と記載されている。
　フルカラ−画像光を投影レンズによりスクリ−ンに投影することについては、第３頁右上欄第１３行目〜第１５行目に、「カラ−画像はズ−ムレンズ２０を通じてスクリ−ン２１上に投写される。」と記載されている。
　第２頁右上欄第１０行目〜第１７行目に、「コ−ルドミラ−６で反射された平行光線の可視光は、次に偏光ビ−ムスプリッタ７を透過することにより、偏光軸が例えばＸ軸に揃えられる。偏光ビ−ムスプリッタ７で反射された偏光軸がＹ軸の可視光は、後述する偏光軸変換装置８により、偏光軸がＸ軸に変換される。偏光ビ−ムスプリッタ７を透過したＸ軸の可視光は、次にダイクロイックミラ−９に加えられる。」、第５頁左上欄第５，６行に、「第１図において、偏光軸変換装置８は、ミラ−５５とＴＦＴ型液晶５６とにより構成されている。」と記載されている。
［刊行物２］（特開昭６２−８１６２７号公報）
　投写形液晶表示装置に関し、第４図、第２頁左下欄第１３行目〜第３頁左上第１行目に、「第４図において、１４、１５は２組の液晶表示装置で、それぞれ緑の液晶ライトバルブ１４ａ、１５ａ、赤および青の液晶ライトバルブ１４ｂ、１５ｂ、ダイクロイックミラ−１４ｃ、１４ｄおよび１５ｃ、１５ｄ、ミラ−１４ｅ、１５ｅからなる。１６は光源、１７、１８〜２１はレンズ系、２２、２３は第５図に示す２個のワイドバンドＰＢＳからなる光偏光部、２４は投写ズ−ムレンズ系である。以上の構成において、各ライトバルブには、先の実施例と全く同様に映像信号を印加してある。光源１８からの光はＰＢＳ２２によってＰ波およびＳ波に分離され、Ｐ波はレンズ系１８を介して液晶表示装置１４に供給され、Ｓ波はレンズ系１９を介して液晶表示装置１５に供給される。液晶表示装置１４では、ダイクロイックミラ−１４ｄを透過した赤および緑の光がライトバルブ１４ｂを透過し、ダイクロイックミラ−１４ｃによって反射され、ダイクロイックミラ−１４ｄで反射された緑の光はライトバルブ１４ａを透過し、ダイクロイックミラ−１４ｃを透過する。こうしてダイクロイックミラ−１４ｃで合成された光はレンズ系２０およびＰＢＳ２３を介して投写ズ−ムレンズ系２４に供給される。一方、液晶表示装置１５でも同様の動作が行われ、レンズ２１を介した光がＰＢＳ２３によって液晶表示装置１４からの光と合成されて投写ズ−ムレンズ系２４に供給され、スクリ−ン上に投写される。」と記載されている。
［刊行物３］
　反射要素によって反射光の偏光が偏ることが読みとれる。
２−１−４−２．対比・判断
　（特許法第２９条第２項）
　本件発明と刊行物１に記載された発明とを比較すると、刊行物１の第１図及びその説明には、３枚の液晶パネルと光源と投影レンズとを有し、前記光源からの光を赤、緑、青の三原色光に分離して、その赤色光を第１の液晶パネルに、緑色光を第２の液晶パネルに、青色光を第３の液晶パネルにそれぞれ入射させるとともに、前記各液晶パネルを透過した赤、緑、青の光を重ね合せてフルカラ−画像光をつくり、このフルカラ−画像光を前記投影レンズによりスクリ−ンに投影する投影型液晶表示装置が示され、これら液晶パネルに入射する光の偏光を制御しているのは偏光ビ−ムスプリッタ７、光軸変換装置８及び液晶５６と認められるから、本件発明は、複数のミラ−によって、３枚の液晶パネルの光入射面に入射する同一の偏光成分が強い光を形成したのに対し、刊行物の第１図及びその説明に記載された発明は、偏光を偏光ビ−ムスプリッタ７、ミラ−５５とＴＦＴ型液晶５６とにより構成されている偏光軸変換装置８は、で形成している点で相違する。
　そして、刊行物２，３を検討しても、複数のミラ−によって、特定の偏光を形成し、３枚の液晶パネルの光入射面に同一の偏光成分が強い光を入射させることは示されておらず、当業者といえども刊行物１に記載された発明の、偏光ビ−ムスプリッタ７、ミラ−５５とＴＦＴ型液晶５６とにより構成されている偏光軸変換装置８を複数のミラ−で置き換えることは容易に想到できたとは認められない。
（特許法第２９条の２）
　先願１及び先願２には、本件発明を特定する技術事項である「光源と前記３枚の液晶パネルと間の光路をそれぞれ複数のミラ−を利用して構成するとともに、前記３枚の液晶パネルの光入射面に同一の偏光成分が強い光を入射させるように前記ミラ−を配置」すること、すなわち、複数のミラ−によって、３枚の液晶パネルの光入射面に入射する同一の偏光成分が強い光を入射させる点は示されていない。
　従って、先願１、先願２のいずれの明細書に記載された発明も本件発明と同一とは認められない。
２−２．むすび
　以上のとおりであるから、上記訂正は、特許法第１２０条の４第２項及び同条第３項で規定する訂正について、平成６年法律第１１６号附則第６条第１項の規定により、なお従前の例によるとされる、改正前の特許法第１２６条第１項ただし書き、同条第２項及び同条第３項の規定に適合するので、当該訂正を認める。
３．特許異議の申立てについての判断
３−１申立ての理由の概要
　異議申立人　セイコ−エプソン株式会社は、特許第２７７９６６５３号の発明は、甲第１、３号証の先願に開示された発明と同一であるから特許法第２９条の２の規定に違反し、甲第２，４証刊行物に記載された発明に基づいて当業者が容易に発明できたものであるから、特許法第２９条第２項の規定違反し、さらに本件特許明細書は不備であるから特許法第３６条第４項の規定に違反して特許されたものである旨主張している。
３−２判断
（特許法第２９条第２項、同第２９条の２）
　本件発明は、上記２−１−４．独立特許要件の判断で示したように、異議申立人の提示した刊行物１，２に記載された発明に基づいて当業者が容易に発明できたものではない。
　また、本件発明は、上記２−１−４．独立特許要件の判断で示したように、異議申立人の提示した先願１または先願２に開示された発明と同一でもない。
（特許法第３６条第４項）
　申立人が記載不備であると主張する点は以下の（ｉ）〜（ｉｖ）である。
　（ｉ）特許請求の範囲には、構成要件「特定の偏光成分が強い光を入射させる」と記載されているが、実施例では３枚の液晶パネルに同一の偏光光を入射することしか開示していないので、本件特許発明は実施例で開示していない同一の偏光光でないものも含んでいる。
　（ｉｉ）同様に、本件特許発明は本件の明細書の［作用］の欄に記載された作用を奏するものではない、すなわち「このような構成とすれば、分離された赤、緑、青の各色の光がそれぞれミラ−で反射されて同一方向の偏光成分が強い光つまりＳ偏光成分が強い光として３枚の液晶パネルに入射する」という作用を奏しない。
　（ｉｉｉ）「特定の偏光成分」を「同一の偏光成分」に訂正しただけでは、如何なる手段で同一の偏光成分とするのか不明瞭である。本件特許発明の実施例を参酌すると、光の反射と透過の回数をそろえることで同一の偏光成分としている。
　（ｉｖ）本件特許発明の目的は、特許公報の段落番号［００２８］に記載されるように、「赤、緑、青の各色の強さをバランスさせた品質のよい画像とすることができる投影型液晶表示装置を提供すること」である。本件特許発明の実施例によれば、色の強さをバランスさせるために、特定の偏光成分を入射するとともに、反射・透過の回数を設定することによって出射光の強度を揃えている（段落番号〔００６１］参照）。また、光路長を等しくすることによって光強度を揃えている（段落番号［００５０］〜［００５３］）。これらの内容は、本件特許発明の構成要件となっていないので、各色毎の透過・反射の回数の条件と、光路長を等しくするという限定が特許請求の範囲に入らなければ、本件特許発明は、プリズムによる光の合成時に特定の光が弱まり課題を解決することができない。
　上記（ｉ）及び（ｉｉ）の不備は、平成１１年８月３０日付けの訂正請求による、特許請求の範囲の請求項１に記載された「前記３枚の液晶パネルの光入射面にそれぞれ特定の偏光成分が強い光を入射させるように前記ミラ−を配置し、」を、「前記３枚の液晶パネルの光入射面に同一の偏光成分が強い光を入射させるように前記ミラ−を配置し、」と訂正することにより解消された。
　（ｉｉｉ）及び（ｉｖ）に関して、「前記３枚の液晶パネルの光入射面に同一の偏光成分が強い光を入射させるように前記ミラ−を配置」するという構成から、ミラ−のみによって、同一の偏光成分が強い光を入射させることを達成することが明らかであるから、光の反射と透過の回数をそろえることの限定が発明の構成として必要とは認められない。また、当該限定の付されていない本件発明の構成からもたらされる作用効果は、明細書の記載から見て当業者に明らかであるから、当該限定が発明の構成として必要とは認められない。
　以上のとおりであるから、本件の願書に添付された明細書及び図面が特許法第３６条第４項に規定する要件を満たしていないという申立人の主張は認められない。
４．むすび
　以上のとおりであるから、特許異議申立の理由及び証拠によっては、本件発明を取り消すことはできない。
　また、他に本件発明を取り消すべき理由を発見しない。
　よって、結論のとおり決定する。
【異議決定日】
平成１１年１１月５日（１９９９．１１．５）
【訂正の要旨】
訂正の要旨
　特許第２７９６６５３号発明（昭和６３年１月２５日出願、平成１０年７月３日設定登録）の願書に添付した明細書（以下、「原明細書」という。）を、特許請求の範囲の減縮を目的として、次のとおり訂正する。
　（１）原明細書の特許請求の範囲の請求項１を、訂正請求書（平成１１年８月３０日請求）に添付した訂正明細書のとおり、すなわち、「３枚の液晶パネルと光源と投影レンズとを有し、前記光源からの光を赤、緑、青の三原色光に分離して、その赤色光を第１の液晶パネルに、緑色光を第２の液晶パネルに、青色光を第３の液晶パネルにそれぞれ入射させるとともに、前記各液晶パネルを透過した赤、緑、青の光を重ね合せてフルカラ−画像光をつくり、このフルカラ−画像光を前記投影レンズによりスクリ−ンに投影する投影型液晶表示装置において、前記光源と前記３枚の液晶パネルと間の光路をそれぞれ複数のミラ−を利用して構成するとともに、前記３枚の液晶パネルの光入射面に同一の偏光成分が強い光を入射させるように前記ミラ−を配置し、前記３枚の液晶パネルの光入射側偏光板の透過軸を前記特定の偏光成分に合わせたことを特徴とする投影型液晶表示装置。」と訂正する
　（２）原明細書の発明の詳細な説明の段落番号【００２９】に記載された「前記３枚の液晶パネルの光入射面にそれぞれ特定の偏光成分が強い光を入射させるように前記ミラ−を配置し、」を、訂正請求書に添付した訂正明細書のとおり、すなわち、「前記３枚の液晶パネルの光入射面に同一の偏光成分が強い光を入射させるように前記ミラ−を配置し、」と訂正する
（５４）【発明の名称】
投影型液晶表示装置
（５７）【特許請求の範囲】
　【請求項１】３枚の液晶パネルと光源と投影レンズとを有し、前記光源からの光を赤、緑、青の三原色光に分離して、その赤色光を第１の液晶パネルに、緑色光を第２の液晶パネルに、青色光を第３の液晶パネルにそれぞれ入射させるとともに、前記各液晶パネルを透過した赤、緑、青の光を重ね合せてフルカラー画像光をつくり、このフルカラー画像光を前記投影レンズによりスクリーンに投影する投影型液晶表示装置において、
前記光源と前記３枚の液晶パネルと間の光路をそれぞれ複数のミラーを利用して構成するとともに、
前記３枚の液晶パネルの
光入射面に同一の偏光成分
前記３枚の液晶パネルの光入射側偏光板の透過軸を前記特定の偏光成分に合わせたことを特徴とする投影型液晶表示装置。
【発明の詳細な説明】
　【０００１】
　【産業上の利用分野】本発明は投影型液晶表示装置に関するものである。
　【０００２】
　【従来の技術】最近、液晶パネルを用いてテレビジョン画像等を表示する液晶表示装置として、液晶パネルの表示画像を投影レンズにより拡大してスクリーンに投影表示するものが開発されているが、この投影型の液晶表示装置は、液晶パネルの表示画像を拡大してスクリーンに投影するものであるために、液晶パネルが赤、緑、青の三原色画素の組合わせでフルカラー画像を表示するものである場合には、スクリーンに拡大投影される画像が赤、緑、青の画素が目立つ荒れた画像となるという問題をもっている。
　【０００３】このため従来から、上記投影型液晶表示装置として、３枚の液晶パネルを備えてその第１の液晶パネルに赤色画像を、第２の液晶パネルに緑色画像を、第３の液晶パネルに青色画像を表示させ、この各液晶パネルを透過した赤、緑、青の画像光を重ね合せてフルカラー画像光をつくることにより、このフルカラー画像光をスクリーンに投影するようにしたものが提案されており、この投影型液晶表示装置によれば、スクリーンに投影されるフルカラー画像の１つ１つの画素が、赤、緑、青の画素が重なったフルカラー画素となるから、１つの表示パネルが表示する赤、緑、青の画素が交互に並ぶフルカラー画像をスクリーン面に投影するものに比べて、スクリーン投影画像の画質を大幅に向上させることができる。
　【０００４】この投影型液晶表示装置としては、各液晶パネルをそれぞれ赤、緑、青のカラーフィルタを備えたものとするとともに、各液晶パネルごとにそれぞれ光源を設けたものが知られているが、この投影型液晶表示装置は、３つの光源が必要であるために装置の価格が高くなるだけでなく消費電力も大きいという問題をもっているため、最近では、光源を１つとし、この光源からの光をダイクロイックミラーにより赤、緑、青の三原色光に分離して、その赤色光を第１の液晶パネルに、緑色光を第２の液晶パネルに、青色光を第３の液晶パネルにそれぞれ入射させることが考えられている。
　【０００５】一方、上記投影型液晶表示装置には、外部のスクリーンに画像を投影するものと、装置の前面に透過型スクリーンを設けて装置内部に設けた液晶パネルの表示画像を前記透過型スクリーンにその背面側から投影することにより、このスクリーン投影画像を装置の前面側から観察させるようにした背面投影型のものとがあり、後者の背面投影型液晶表示装置では、装置の奥行き長さを小さくするために、投影レンズを通った画像光を投影ミラーで反射させてスクリーンに投影するようにしている。
　【０００６】図４は、１つの光源からの光を赤、緑、青の三原色光に分離して３枚の液晶パネルにそれぞれ入射させ、この各液晶パネルを透過した光を重ねてつくったフルカラー画像光を装置前面の透過型スクリーンに投影する背面投影型液晶表示装置として従来提案されているものを示したもので、図中１は装置のケースであり、このケース１の前面には表示窓が開口され、この表示窓には透過型スクリーン２が設けられている。
　【０００７】この透過型スクリーン２は、アクリル樹脂等からなる透明シートの表面に、垂直または水平（図では垂直）なストライプ状の微小幅レンズ部が多数本平行に並ぶレンチキュラーレンズ３を形成したものとされている。
　【０００８】一方、４はケース１内に設けられた投影ユニット、５および６は投影ミラーであり、投影ユニット４からの投影光（フルカラー画像光）は、第１投影ミラー５によって第２投影ミラー６に向けて反射され、さらにこの第２投影ミラー６によって前記スクリーン２に向けて反射されるようになっている。
　【０００９】前記投影ユニット４の構成を説明すると、図４において、７Ｒは赤色画像を表示するための液晶パネル（以下赤色画像表示用液晶パネルという）、７Ｇは緑色画像を表示するための液晶パネル（以下緑色画像表示用液晶パネルという）、７Ｂは青色画像を表示するための液晶パネル（以下青色画像表示用液晶パネルという）である。これら液晶パネル７Ｒ，７Ｇ，７Ｂは、いずれも、その光入射面に入射光偏光板８を設け、光出射面に画像形成用偏光板９を設けるとともに、内部の液晶を入射光偏光板８の偏光軸方向を基準としてほぼ９０度または２７０度ツイスト配向させたＴＮ（ツィステッド・ネマティック）型液晶パネルとされており、画像形成用偏光板９は、その偏光軸方向を入射光偏光板８の偏光軸方向と平行にするかまたは直交させて配置されている。
　【００１０】この各液晶パネル７Ｒ，７Ｇ，７Ｂは、画素配列が同一の液晶パネルとされており、同じフルカラー画像の赤、緑、青の各色の成分の画像をそれぞれ表示するようになっている。１０は前記第１投影ミラー５に対向させて配置した投影レンズであり、前記各液晶パネル７Ｒ，７Ｇ，７Ｂのうちの１つの液晶パネル例えば緑色画像表示用液晶パネル７Ｇは、その光出射面を投影レンズ１０に対向させて配置されている。
　【００１１】１１は前記緑色画像表示用液晶パネル７Ｇと投影レンズ１０との間に配置された画像合成用ダイクロイックプリズムであり、他の２つの液晶パネルつまり赤色画像表示用液晶パネル７Ｒと青色画像表示用液晶パネル７Ｂとは、その光出射面を上記ダイクロイックプリズム１１の両側面にそれぞれ対向させて配置されている。また、１２は前記各液晶パネル７Ｒ，７Ｇ，７Ｂを照射する光源であり、この光源１２は各液晶パネル７Ｒ，７Ｇ，７Ｂのうちの投影レンズ１０と対向している緑色画像表示用液晶パネル７Ｇに対向させて設けられている。
　【００１２】この光源１２は、光源ランプと、この光源ランプからの放射光を緑色画像表示用液晶パネル７Ｇに向けて反射させるリフレクタとからなっており、前記リフレクタは、光源ランプからの放射光を平行光として反射させる放物面鏡リフレクタとされている。また、１３ａ，１３ｂは光源１２と緑色画像表示用液晶パネル７Ｇとの間にＸ状に組合わせて配置された２枚のダイクロイックミラーであり、一方のダイクロイックミラー１３ａは、赤色成分の波長光を反射させ他の波長光を透過させる赤色光分離用とされ、他方のダイクロイックミラー１３ｂは、青色成分の波長光を反射させ他の波長光を透過させる青色光分離用とされている。
　【００１３】この２枚のダイクロイックミラー１３ａ，１３ｂは、光源１２からの光（白色光）を赤、緑、青の三原色光に分離するもので、光源１２からの光のうち緑色成分の波長光は、両方のダイクロイックミラー１３ａ，１３ｂを透過して分離され、赤色成分の波長光は、青色光分離用ダイクロイックミラー１３ｂを透過し赤色光分離用ダイクロイックミラー１３ａで反射されて分離され、青色成分の波長光は、赤色光分離用ダイクロイックミラー１３ａを透過し青色光分離用ダイクロイックミラー１３ｂで反射されて分離される。
　【００１４】そして、ダイクロイックミラー１３ａ，１３ｂによって分離された赤、緑、青の光のうち、緑色光Ｇは、直接緑色画像表示用液晶パネル７Ｇに入射し、赤色光Ｒおよび青色光Ｂは、それぞれ２枚の光反射ミラー１４ａ，１４ｂおよび１５ａ，１５ｂで順次反射されて赤色画像表示用液晶パネル７Ｒおよび青色画像表示用液晶パネル７Ｂに入射する。
　【００１５】一方、前記画像合成用ダイクロイックプリズム１１は、上記各液晶パネル７Ｒ，７Ｇ，７Ｂおよびその光出射面の画像形成用偏光板９，９を透過した光つまり赤、緑、青の画像光を１つの画像光に合成するもので、このダイクロイックプリズム１１にその正面側から入射する緑色画像光はダイクロイックプリズム１１を直進し、ダイクロイックプリズム１１にその両側から入射する赤色画像光と青色画像光は、ダイクロイックプリズム１１により前記緑色画像光と同方向に屈折されて１つの画像光つまり赤、緑、青の画像光が重なり合ったフルカラー画像光に合成され、投影レンズ１０により投影ミラー５，６を介してスクリーン２に投影される。
　【００１６】すなわち、この背面投影型液晶表示装置は、１つの光源１２からの光をダイクロイックミラー１３ａ，１３ｂにより赤、緑、青の三原色光に分離して、その赤色光を赤色画像表示用液晶パネル７Ｒに、緑色光を緑色画像表示用液晶パネル７Ｇに、青色光を青色画像表示用液晶パネル７Ｂにそれぞれ入射させるとともに、前記各液晶パネル７Ｒ，７Ｇ，７Ｂを透過した赤、緑、青の光をダイクロイックプリズム１１により重ね合せてフルカラー画像光をつくり、このフルカラー画像光を投影レンズ１０により投影ミラー５，６を介してケース前面の透過型スクリーン２にその背面側から投影するようにしたものである。
　【００１７】この背面投影型液晶表示装置によれば、３枚の液晶パネルを使用するものでありながら光源は１つでよく、また各液晶パネル７Ｒ，７Ｇ，７Ｂに入射する光が赤、緑、青の着色光であるために各液晶パネルにカラーフィルタを設ける必要もなくなるし、さらに投影レンズ１０によって投影される画像光を投影ミラー５，６により反射させて屈曲した光路でスクリーン２に投影するようにしているために、投影レンズをスクリーンに直接対向させる場合に比べて装置の奥行き長さも小さくすることができる。
　【００１８】
　【発明が解決しようとする課題】しかしながら、上記従来の背面投影型液晶表示装置では、ダイクロイックミラー１３ａ，１３ｂにより分離した赤、緑、青の三原色光のうち、緑色光Ｇは直接緑色画像表示用液晶パネル７Ｇに入射させ、赤色光Ｒおよび青色光Ｂはそれぞれ光反射ミラー１４ａ，１４ｂおよび１５ａ，１５ｂで順次反射させて赤色画像表示用液晶パネル７Ｒおよび青色画像表示用液晶パネル７Ｂに入射させるようにしているために、緑色画像表示用液晶パネル７Ｇに入射する緑色光Ｇと、赤色画像表示用液晶パネル７Ｒおよび青色画像表示用液晶パネル７Ｂに入射する赤色光Ｒおよび青色光Ｂとが偏光方向の異なる光となり、そのために、各液晶パネル７Ｒ，７Ｇ，７Ｂを同一（液晶の配向方向が同一）の液晶パネルとすると、緑色画像表示用液晶パネル７Ｇへの入射光の強度と、赤色画像表示用液晶パネル７Ｒおよび青色画像表示用液晶パネル７Ｂへの入射光の強度とに差ができて、その結果スクリーン２に投影されるフルカラー画像が色バランスの悪い画像となってしまうという問題をもっていた。
　【００１９】これは、ダイクロイックミラー１３ａ，１３ｂおよび光反射ミラー１４ａ，１４ｂ，１５ａ，１５ｂの偏光作用によるものであり、ダイクロイックミラーを透過する光のうち、ダイクロイックミラー面に対して垂直でかつダイクロイックミラーの傾き方向に沿う面（図において紙面に沿う面）上において光軸と直交する方向に振動するＰ偏光成分の光はほとんど減衰することなく高い透過率で透過し、ダイクロイックミラーの傾き方向と直交する面（図において紙面に対して垂直な面）上において光軸と直交する方向に振動するＳ偏光成分はある程度の減衰を生じて透過するから、ダイクロイックミラーを透過した光は、Ｐ偏光成分が強い光となる。なお、１枚のダイクロイックミラーを透過した光のＰ偏光成分とＳ偏光成分の透過率の比は、ダイクロイックミラーの材質、光の波長等によって異なるが、一例をあげれば約１０：９である。
　【００２０】また、ダイクロイックミラーで反射される光は、透過光と逆に、Ｓ偏光成分の光は高い反射率で反射され、Ｐ偏光成分はある程度の減衰を生じるから、ダイクロイックミラーで反射された光は、Ｓ偏光成分が強い光となる（この場合のＳ偏光成分とＰ偏光成分の反射率の比も一例をあげれば約１０：９である）。これは光反射ミラーによって反射される光においても同様であり、Ｓ偏光成分の光は高い反射率で反射されるのに対してＰ偏光成分はある程度の減衰を生じるから、ダイクロイックミラーほど顕著ではないが、光反射ミラーで反射された光もＳ偏光成分が強い光となる。
　【００２１】したがって、上記従来の背面投影型液晶表示装置においては、緑色画像表示用液晶パネル７Ｇに入射する緑色光Ｇは、２枚のダイクロイックミラー１３ａ，１３ｂを透過してＳ偏光成分を二重に減衰された光となる。また、赤色画像表示用液晶パネル７Ｒおよび青色画像表示用液晶パネル７Ｂに入射する赤色光Ｒおよび青色光Ｂは、２枚のダイクロイックミラー１３ａ，１３ｂの一方を透過し他方で反射されるから、ダイクロイックミラー１３ａ，１３ｂで分離された赤色光Ｒと青色光ＢはＳ偏光成分とＰ偏光成分とがほぼ等しい光となるが、この赤色光Ｒと青色光Ｂは、２枚の光反射ミラー１４ａ，１４ｂおよび１５ａ，１５ｂで反射されて液晶パネル７Ｒ，７Ｂに入射するために、この赤色光Ｒと青色光ＢはＰ偏光成分の減衰が大きい光となる。
　【００２２】このため、上記従来の背面投影型液晶表示装置では、各液晶パネル７Ｒ，７Ｇ，７Ｂを同一の液晶パネルとすると、例えば各液晶パネル７Ｒ，７Ｇ，７Ｂを前記Ｓ偏光成分の入射光を使用するものとした場合は、液晶パネルの入射光偏光板８を透過するＳ偏光成分が強い赤色光Ｒと青色光Ｂは高強度の光として赤色画像表示用液晶パネル７Ｒと青色画像表示用液晶パネル７Ｂに入射するが、Ｓ偏光成分が弱い緑色光Ｇが入射する緑色画像表示用液晶パネル７Ｇへの入射光強度は低くなり、そのために、赤色画像表示用液晶パネル７Ｒと青色画像表示用液晶パネル７Ｂを透過する赤色光と青色光の強度に比べて、緑色画像表示用液晶パネル７Ｇを透過する緑色光の強度が低くなるから、スクリーン２に投影されるフルカラー画像が、赤と青の色が強く、緑色が弱い、色バランスの悪い画像となってしまうことになる。
　【００２３】これは、各液晶パネル７Ｒ，７Ｇ，７ＢをＰ偏光成分の入射光を使用するものとした場合も同じであり、この場合は、緑色画像表示用液晶パネル７Ｇへの入射光強度は高いが、赤色画像表示用液晶パネル７Ｒと青色画像表示用液晶パネル７Ｂへの入射光強度は低くなるから、スクリーン２に投影されるフルカラー画像が、緑色が強く、赤と青の色が弱い、色バランスの悪い画像となる。
　【００２４】一方、緑色画像表示用液晶パネル７ＧをＰ偏光成分の入射光を使用するものとし、赤色画像表示用液晶パネル７Ｒと青色画像表示用液晶パネル７ＢをＳ偏光成分の入射光を使用するものとすれば、全ての液晶パネル７Ｒ，７Ｇ，７Ｂに高強度の光を入射させることができるが、これでは、Ｐ偏光成分の入射光を使用する１枚の液晶パネルと、Ｓ偏光成分の入射光を使用する２枚の液晶パネルとの２種類の液晶パネルが必要である。
　【００２５】
　【００２６】
　【００２７】
　【００２８】本発明は上記のような実情にかんがみてなされたものであって、その目的とするところは、３枚の液晶パネルと１つの光源と投影レンズとを有し、前記光源からの光を赤、緑、青の三原色光に分離して、その赤色光を第１の液晶パネルに、緑色光を第２の液晶パネルに、青色光を第３の液晶パネルにそれぞれ入射させるとともに、前記各液晶パネルを出射した赤、緑、青の光でカラー画像光をつくり、このカラー画像光を前記投影レンズによりスクリーンに投影するものでありながら、スクリーンに投影されるカラー画像を、赤、緑、青の各色の強さをバランスさせた品質のよい画像とすることができる投影型液晶表示装置を提供することにある。
　【００２９】
　【課題を解決するための手段】本発明は上記目的を解決するために、光源と３枚の液晶パネルと間の光路をそれぞれ複数のミラー利用して構成するとともに、前記３枚の液晶パネルの
光入射面に同一の偏光成分
　【００３０】
　【作用】このような構成とすれば、分離された赤、緑、青の各色の光がそれぞれミラーで反射されて同一方向の偏光成分が強い光つまりＳ偏光成分が強い光として３枚の液晶パネルに入射するから、赤、緑、青の各色の光をそれぞれ各液晶パネルに高強度の光として入射光させることができる。
　【００３１】したがって、本発明の投影型液晶表示装置によれば、スクリーンに投影されるカラー画像を、赤、緑、青の各色の強さをバランスさせた品質のよい画像とすることができる。
　【００３２】
　【実施例】以下、本発明の一実施例を図１〜図３を参照して説明する。図１は背面投影型液晶表示装置の全体の構成を示し、図２はその内部の投影ユニットを示している。
　【００３３】図１および図２において、１は装置のケースであり、このケース１の前面に開口された表示窓には、表面にストライプ状の微小幅レンズ部が多数本平行に並ぶレンチキュラーレンズ３を形成した透過型スクリーン２が設けられている。４はケース１内に設けられた投影ユニット、５および６は投影ミラーであり、投影ユニット４からの投影光（フルカラー画像光）は、図４に示した従来の背面投影型液晶表示装置と同様に、第１投影ミラー５によって第２投影ミラー６に向けて反射され、さらにこの第２投影ミラー６によって前記スクリーン２に向けて反射されるようになっている。
　【００３４】前記投影ユニット４の構成を説明すると、図２において、７Ｒ，７Ｇ，７Ｂは、光入射面に入射光偏光板８を設け、光出射面に画像形成用偏光板９を設けるとともに、内部の液晶を入射光偏光板８の偏光軸方向を基準としてツイスト配向させた３枚のＴＮ型液晶パネルであり、これら液晶パネル７Ｒ，７Ｇ，７Ｂは、画素配列が同一で、かつ液晶の配向方向も同一な液晶パネルとされている。
　【００３５】この各液晶パネルのうち、７Ｒは赤色画像を表示するための赤色画像表示用液晶パネル、７Ｇは緑色画像を表示するための緑色画像表示用液晶パネル、７Ｂは青色画像を表示するための青色画像表示用液晶パネルとされており、これら液晶パネル７Ｒ，７Ｇ，７Ｂは、同じフルカラー画像の赤、緑、青の各色の成分の画像をそれぞれ表示するようになっている。
　【００３６】そして、各液晶パネル７Ｒ，７Ｇ，７Ｂのうちの１つの液晶パネル例えば緑色画像表示用液晶パネル７Ｇは、その光出射面を投影レンズ１０に対向させて配置され、他の２つの液晶パネルつまり赤色画像表示用液晶パネル７Ｒと青色画像表示用液晶パネル７Ｂとは、緑色画像表示用液晶パネル７Ｇと投影レンズ１０との間に配置された画像合成用ダイクロイックプリズム１１の両側面にそれぞれ光出射面を対向させて配置されており、また各液晶パネル７Ｒ，７Ｇ，７Ｂは、それぞれダイクロイックプリズム１１の中心から同一距離をとって配置されている。
　【００３７】１２は前記各液晶パネル７Ｒ，７Ｇ，７Ｂを照射する光源であり、この光源１２は各液晶パネル７Ｒ，７Ｇ，７Ｂのうちの投影レンズ１０と対向している緑色画像表示用液晶パネル７Ｇに対向させて設けられている。この光源１２は、光源ランプと、この光源ランプからの放射光を緑色画像表示用液晶パネル７Ｇに向けて平行光として反射させる放物面鏡リフレクタとからなっている。
　【００３８】また、１６ａ，１６ｂは光源１２からの光（白色光）を赤、緑、青の三原色光に分離するための２枚のダイクロイックミラーであり、第１のダイクロイックミラー１６ａは青色光分離用とされ、この青色光分離用ダイクロイックミラー１６ａは、光源１２と緑色画像表示用液晶パネル７Ｇとの間に光源１２からの照明光の光軸（以下光源光軸という）Ｏ０に対して４５°の角度で傾斜させて配置されている。
　【００３９】この青色光分離用ダイクロイックミラー１６ａは、青色成分の波長光を透過させ他の波長光つまり赤と緑の成分の波長光を反射させるもので、光源１２からの光のうち、青色光分離用ダイクロイックミラー１６ａを透過した青色光Ｂは、この青色光分離用ダイクロイックミラー１６ａと緑色画像表示用液晶パネル７Ｇとの間に前記光源光軸Ｏ０（青色光分離用ダイクロイックミラー１６ａを透過した青色光Ｂの光軸）に対して４５°の角度でかつ青色光分離用ダイクロイックミラー１６ａと９０°の角度で対向させて配置した青色光反射用第１ミラー１７ａにより光源光軸Ｏ０に対して直交する方向に反射される。
　【００４０】また、前記第１ミラー１７ａの側方には、この第１ミラー１７ａと平行に青色光反射用第２ミラー１７ｂが配置されており、前記第１ミラー１７ａで反射された青色光Ｂは、この第２ミラー１７ｂによって光源光軸Ｏ０と平行な方向に反射され、さらに前記青色画像表示用液晶パネル７Ｂの光入射面に４５°の傾斜角で対向させかつ前記第２ミラー１７ｂに対して９０°の角度で対向させて配置した青色光反射用第３ミラー１７ｃにより、青色画像表示用液晶パネル７Ｂに向けて反射される。
　【００４１】一方、前記青色光分離用ダイクロイックミラー１６ａで反射された赤緑色光ＲＧは、前記青色光反射用第２，第３ミラー１７ｂ，１７ｃの配置側とは反対側に、青色光分離用ダイクロイックミラー１６ａと対向させてこの青色光分離用ダイクロイックミラー１６ａと平行に設けた赤緑色光反射ミラー１８により、前記光源光軸Ｏ０および青色光反射用第２ミラー１７ｂで反射された青色光Ｂの光軸Ｏ１と平行な方向に反射され、この光軸に対して４５°の角度でかつ赤緑色光反射ミラー１８に対して９０°の角度で対向させて配置した第２のダイクロイックミラー１６ｂに入射する。
　【００４２】この第２のダイクロイックミラー１６ｂは、青色光分離用ダイクロイックミラー１６ａで反射された赤緑色光ＲＧを赤色光Ｒと緑色光Ｇとに分離するもので、この赤緑色光分離用ダイクロイックミラー１６ｂは、赤色成分の波長光を透過させ他の波長光つまり緑色成分の波長光を反射させるものとされている。
　【００４３】そして、この赤緑色光分離用ダイクロイックミラー１６ｂを透過した赤色光Ｒは、前記赤色画像表示用液晶パネル７Ｒの光入射面に４５°の傾斜角で対向させかつ前記赤緑色光分離用ダイクロイックミラー１６ｂと平行に対向させて配置した赤色光反射ミラー１９により、赤色画像表示用液晶パネル７Ｒに向けて反射される。
　【００４４】また、赤緑色光分離用ダイクロイックミラー１６ｂで反射された緑色光Ｇは、前記緑色画像表示用液晶パネル７Ｇの光入射面に４５°の傾斜角で対向させかつ前記赤緑色光分離用ダイクロイックミラー１６ｂと平行に対向させて配置した緑色光反射ミラー２０により、緑色画像表示用液晶パネル７Ｇに向けて反射される。
　【００４５】なお、この実施例では前記緑色光反射ミラー２０を青色光反射用第１ミラー１７ａと背中合せに重ねて配置しているが、この緑色光反射ミラー２０と青色光反射用第１ミラー１７ａとは両面を反射面とした１枚のミラーとしてもよいし、またこの両ミラーを別にする場合はこれらを離して配置してもよい。また、この実施例では、前記各ミラー１７ａ，１７ｂ，１７ｃ，１８，１９，２０を、その反射面に反射コーティングを施した増反射ミラーとするか、あるいはダイクロイックミラーとしており、各ミラー１７ａ，１７ｂ，１７ｃ，１８，１９，２０を増反射ミラーとすれば、その光反射率を高くすることができる。
　【００４６】また、各ミラー１７ａ，１７ｂ，１７ｃ，１８，１９，２０をダイクロイックミラーとする場合は、各ミラーを、このミラーに入射する色光をその波長帯域を僅かに狭くして反射させ、残りの波長域の光を透過させるものとすればよく、このように各ミラーをダイクロイックミラーとすれば、各液晶パネル７Ｒ，７Ｇ，７Ｂに入射させる赤、緑、青の光をさらに原色に近くすることができる。なお、背中合せに配置される緑色光反射ミラー２０と青色光反射用第１ミラー１７ａとを共にダイクロイックミラーとする場合は、この両ミラー２０，１７ａの背面（両ミラー２０，１７ａを重ね合せる場合はミラー間）に、透過光を吸収する光吸収層を設ける必要がある。
　【００４７】また、前記緑色光反射ミラー２０と赤緑色光分離用ダイクロイックミラー１６ｂとは、緑色光反射ミラー２０で緑色画像表示用液晶パネル７Ｇに向けて反射される緑色光Ｇの光軸Ｏ３を前記光源光軸Ｏ０に一致させる位置関係で配置されており、さらに前記青色光反射用第２，第３ミラー１７ｂ，１７ｃおよび赤緑色光反射ミラー１８と赤緑色光分離用ダイクロイックミラー１６ｂと赤色光反射ミラー１９とは、青色光反射用第２ミラー１７ｂで反射された青色光Ｂの光軸Ｏ１と緑色光反射ミラー２０で反射される緑色光Ｇの光軸Ｏ３との間隔Ａ１と、赤緑色光分離用ダイクロイックミラー１６ｂを透過した赤色光Ｒの光軸Ｏ２と緑色光反射ミラー２０で反射される緑色光Ｇの光軸Ｏ３との間隔Ａ２とがＡ１＝Ａ２となるように、前記光源光軸Ｏ０から等距離の位置に配置されている。
　【００４８】また、前記赤色光反射ミラー１９と青色光反射用第３ミラー１７ｃとは、これらミラー１９，１７ｃで反射されかつ赤色画像表示用液晶パネル７Ｒおよび青色画像表示用液晶パネル７Ｂを透過して画像合成用ダイクロイックプリズム１１に入射する赤色光Ｒおよび青色光Ｂの光軸が、緑色光反射ミラー２０で反射されかつ緑色画像表示用液晶パネル７Ｇを透過して画像合成用ダイクロイックプリズム１１に入射する緑色光Ｇの光軸Ｏ３とダイクロイックプリズム１１の中心で一致するようにして配置されている。
　【００４９】そして、各液晶パネル７Ｒ，７Ｇ，７Ｂは、前述したようにダイクロイックプリズム１１の中心から同一距離をとって配置されており、また赤、緑、青の各色の光Ｒ，Ｇ，Ｂの光路は直角に折れ曲がる光路であるため、光源１２から赤色画像表示用液晶パネル７Ｒまでの赤色光Ｒの光路長と、光源１２から緑色画像表示用液晶パネル７Ｇまでの緑色光Ｇの光路長と、光源１２から青色画像表示用液晶パネル７Ｂまでの青色光Ｂの光路長とは全て等しくなっている。
　【００５０】このように光源１２から各液晶パネル７Ｒ，７Ｇ，７Ｂまでの光路長を等しくしているのは、各液晶パネル７Ｒ，７Ｇ，７Ｂに入射する赤、緑、青の光の強度を均等にするためである。
　【００５１】すなわち、光源１２からの光が完全な平行光であれば、各液晶パネル７Ｒ，７Ｇ，７Ｂに入射する赤、緑、青の光の強度はダイクロイックミラー１６ａおよび１６ｂで分離された時点の強度のままであるが、実際には、光源１２のリフレクタが放物面鏡リフレクタであっても、光源１２からの光は完全な平行光ではなくある程度は広がりながら進む光であるから、光源１２からの光路が長くなるほど光束が大きく広がることになる。
　【００５２】このため、図４に示した従来の背面投影型液晶表示装置のように、光源１２から各液晶パネル７Ｒ，７Ｇ，７Ｂまでの光路長に差があると、光源１２からの光路長が短い緑色画像表示用液晶パネル７Ｇに入射する緑色光Ｇの光束の広がりに比べて、光源１２からの光路長が長い赤色画像表示用液晶パネル７Ｒと青色画像表示用液晶パネル７Ｂに入射する赤色光Ｒと青色光Ｇの光束の広がりが大きくなり、そのために、赤色画像表示用液晶パネル７Ｒと青色画像表示用液晶パネル７Ｂに入射する光の単位面積当りの照度が下がって、これが赤色画像表示用液晶パネル７Ｒおよび青色画像表示用液晶パネル７Ｂへの入射光の強度を低くする原因の１つとなる。
　【００５３】この点、上記のように光源１２から各液晶パネル７Ｒ，７Ｇ，７Ｂまでの光路長を等しくしておけば、各液晶パネル７Ｒ，７Ｇ，７Ｂに入射する赤、緑、青の光の光束の広がりは全て等しくなるから、各液晶パネル７Ｒ，７Ｇ，７Ｂに等強度の光を入射させることができる。
　【００５４】そして、上記各液晶パネル７Ｒ，７Ｇ，７Ｂへの光入射系においては、光源１２からの光のうち、赤色光Ｒが、青色光分離用ダイクロイックミラー１６ａおよび赤緑色光反射ミラー１８で反射、赤緑色光分離用ダイクロイックミラー１６ｂを透過、赤色光反射ミラー１９で反射されて赤色画像表示用液晶パネル７Ｒに入射し、緑色光Ｇが、青色光分離用ダイクロイックミラー１６ａ、赤緑色光反射ミラー１８、赤緑色光分離用ダイクロイックミラー１６ｂ、赤色光反射ミラー１９の全てで反射されて緑色画像表示用液晶パネル７Ｇに入射し、青色光Ｂが、青色光分離用ダイクロイックミラー１６ａを透過、３枚の青色光反射ミラー１７ａ，１７ｂ，１７ｃで反射されて青色画像表示用液晶パネル７Ｂに入射するから、各液晶パネル７Ｒ，７Ｇ，７Ｂに入射する光は全てＳ偏光成分の強い光となる。
　【００５５】すなわち、例えば青色光Ｂについて見ると、この青色光Ｂは、青色光分離用ダイクロイックミラー１６ａを透過して青色光Ｂに分離されたときにＳ偏光成分が減衰して図２に示すＰ方向のＰ偏光成分が強い光となるが、この青色光Ｂは、これ以後は３枚の青色光反射ミラー１７ａ，１７ｂ，１７ｃで反射されて青色画像表示用液晶パネル７Ｂに導かれるために、Ｓ偏光成分の減衰をほとんど生じることなく青色画像表示用液晶パネル７Ｂに入射する。
　【００５６】なお、この青色光ＢのＰ偏光成分は、青色光反射ミラー１７ａ，１７ｂ，１７ｃで反射される度に減衰するから、この青色光Ｂは、青色光反射用第１ミラー１７ａで反射されたときにＰ偏光成分が減衰してＳ偏光成分とＰ偏光成分とがほぼ等しい光となり、さらに青色光反射用第２ミラー１７ｂおよび第３ミラー１７ｃで反射されることによってＰ偏光成分を二重に減衰する。つまり、青色画像表示用液晶パネル７Ｂに入射する青色光Ｂは、１回の透過と３回の反射を経た光であり、したがってこの青色光Ｂは透過によるＳ偏光成分の減衰が１回だけの、Ｓ偏光成分の強い光である。
　【００５７】これは、赤色画像表示用液晶パネル７Ｒに入射する赤色光Ｒにおいても同じであり、この赤色光Ｒも、１回の透過と３回の反射を経た光であるから、この赤色光Ｒも透過によるＳ偏光成分の減衰が１回だけのＳ偏光成分の強い光である。また、緑色画像表示用液晶パネル７Ｇに入射する緑色光Ｇは、透過がなく、４回の反射を経た光であり、したがってこの緑色光ＧはＳ偏光成分の減衰ほとんどないＳ偏光成分の強い光である。
　【００５８】一方、前記各液晶パネル７Ｒ，７Ｇ，７Ｂは、それぞれ、その入射光偏光板８の偏光軸方向を、各液晶パネル７Ｒ，７Ｇ，７Ｂに入射する赤、緑、青の光のＳ偏光成分の振動方向に合せるとともに、内部の液晶を入射光偏光板８の偏光軸方向を基準としてほぼ９０度または２７０度ツイスト配向させた同一の液晶パネルとされており、その光出射面の画像形成用偏光板９は、その偏光軸方向を入射光偏光板８の偏光軸方向と平行にして設けられている。
　【００５９】すなわち、この各液晶パネル７Ｒ，７Ｇ，７Ｂは、これに入射する光のＳ偏光成分を入射光として使用するものであり、各液晶パネル７Ｒ，７Ｇ，７Ｂに入射する赤、緑、青の光は上述したようにＳ偏光成分の強い光であって、このＳ偏光成分の光が入射光偏光板８を透過して各液晶パネル７Ｒ，７Ｇ，７Ｂに入射するから、各液晶パネル７Ｒ，７Ｇ，７Ｂの全てに、高強度の光を入射させることができ、したがって各液晶パネル７Ｒ，７Ｇ，７Ｂを透過しかつその画像形成用偏光板９を透過して画像光とされた赤、緑、青の各画像光は、全て高輝度の画像光となる。なお、この各画像光は、各液晶パネル７Ｒ，７Ｇ，７Ｂの画像形成用偏光板９の偏光軸方向が入射光偏光板８の偏光軸方向と平行であるために、Ｓ偏光成分の光のままである。
　【００６０】そして、各液晶パネル７Ｒ，７Ｇ，７Ｂおよびその画像形成用偏光板９を透過した赤、緑、青の各画像光は、画像合成用ダイクロイックプリズム１１にそれぞれ入射し、このダイクロイックプリズム１１により赤、緑、青の三原色光ＲＧＢが重なった１つのフルカラー画像光に合成され、投影レンズ１０によって拡大投影される。
　【００６１】この場合、画像合成用ダイクロイックプリズム１１に入射する赤、緑、青の各画像光（Ｓ偏光成分の光）のうち、赤色画像光と青色画像光はダイクロイックプリズム１１で屈折されるために、ミラーによる光の反射と同様に光をほとんど減衰することなくダイクロイックプリズム１１を出射するのに対して、ダイクロイックプリズム１１を直進する緑色画像光はダイクロイックミラーを透過する場合と同様に光の減衰を生じるが、緑色画像表示用液晶パネル７Ｇに入射する緑色光Ｇは、前述したように透過がなく、４回の反射を経た光であって、赤色画像表示用液晶パネル７Ｒおよび青色画像表示用液晶パネル７Ｂに入射する赤色光Ｒおよび青色光Ｂよりも１回の透過分だけＳ偏光成分の強度が強い光であるから、ダイクロイックプリズム１１を出射した緑色画像光は、ダイクロイックプリズム１１での光減衰によって赤色画像光および青色画像光とほぼ等強度の光となる。したがってダイクロイックプリズム１１により合成されたフルカラー画像光は、赤、緑、青の光の強度がほぼ等しい色バランスのよい画像光となる。
　【００６２】一方、前記投影ユニット４から投影レンズ１０によって投影されるフルカラー画像光をケース前面の透過型スクリーン２に向けて導く投影ミラー５，６は、それぞれ、前記投影レンズ１０を通ったフルカラー画像光（Ｓ偏光光）の振動方向に対して直交する方向に傾斜させて配置されている。
　【００６３】この投影ミラー５，６の傾斜方向を上記のようにしているのは、フルカラー画像光を効率よく反射させるためであり、上記投影ミラー５，６もその傾き方向に対して直交する方向に振動するＳ偏光成分の光を高い反射率で反射させるからであり、投影レンズ１０を通ったフルカラー画像光の赤、緑、青の光ＲＧＢが上記のように全てＳ偏光成分の光であり、かつ投影ミラー５，６が上記のように傾斜していれば、投影レンズ１０を通ったフルカラー画像光の赤、緑、青の光ＲＧＢの全てが光の減衰を生じることなく投影ミラー５，６によって反射されるから、スクリーン２に、投影レンズ１０を通ったフルカラー画像光をそのまま拡大した赤、緑、青の光の強度がほぼ等しい色バランスのよいフルカラー画像を投影することができる。
　【００６４】また、ケース前面の前記透過型スクリーン２の表面に形成されているレンチキュラーレンズ３は、スクリーン２にその背面側から投影されてスクリーン表面側に出射する画像光を拡散させてスクリーン投影画像の視野角を広げるためのもので、このスクリーン表面のレンチキュラーレンズ３は、図１および図３に示すように、前記投影ミラー５，６で反射されてスクリーン２に投影される画像光の振動方向と直交する方向（この実施例では垂直方向）にストライプ状の微小幅レンズ部３ａ，３ａを形成したものとされている。
　【００６５】このようにしているのは、レンチキュラーレンズ３の表面における画像光の反射を小さくするためであり、レンチキュラーレンズの各レンズ部３ａ，３ａの表面におけるスクリーン入射光の反射率は、スクリーン入射光がレンズ部３ａの幅方向（レンズ状表面の彎曲方向）に振動する光である場合に最も小さいから、レンチキュラーレンズ３のレンズ部３ａ，３ａを上記のように投影ミラー５，６で反射された画像光の振動方向と直交する方向に形成しておけば、投影ミラー５，６で反射された画像光つまりＳ偏光成分の光が、スクリーン表面のレンチキュラーレンズ３に対してはその各レンズ部３ａ，３ａの幅方向に振動する光として図３に示すようにスクリーン２に入射することになる。
　【００６６】そして、スクリーン２に入射するフルカラー画像光はその赤、緑、青の光ＲＧＢが全て同一方向の振動光（Ｓ偏光成分の光）であるために、この赤、緑、青の光ＲＧＢが全てレンチキュラーレンズ３での表面反射をほとんど生じることなくスクリーン表面側に透過するから、装置の前面側から観察されるフルカラー画像は色バランスがよくしかも高輝度の画像である。
　【００６７】したがって、この背面投影型液晶表示装置によれば、１つの光源１２からの光を赤、緑、青の三原色光に分離し、この各色の光を３枚のＴＮ型液晶パネル７Ｒ，７Ｇ，７Ｂに入射させて各液晶パネル７Ｒ，７Ｇ，７Ｂを透過した赤、緑、青の光を重ね合せてフルカラー画像をつくり、このフルカラー画像光を投影レンズ１０により投影ミラー５，６を介してケース前面の透過型スクリーン２に投影するようにしたものでありながら、スクリーン２に投影されるフルカラー画像を、赤、緑、青の各色の強さをバランスさせた品質のよい画像とすることができる。
　【００６８】なお、上記実施例では、赤色光Ｒと青色光Ｂとを３回の反射で赤および青色画像表示用液晶パネル７Ｒ，７Ｂに入射させ、緑色光Ｂを４回の反射で緑色画像表示用液晶パネル７Ｇに入射させるようにしているが、これら各色の光の反射回数は任意でよく、要は、各液晶パネル７Ｒ，７Ｇ，７Ｂの光入射面にそれぞれ対向させて、ダイクロイックミラー１６ａ，１６ｂにより分離された各色の光をそれぞれ同一方向の偏光成分が強い光として各液晶パネルに入射させるミラーがありさえすればよい。
　【００６９】また、上記実施例では、各液晶パネル７Ｒ，７Ｇ，７Ｂの光出射面にそれぞれ画像形成用偏光板９を設けているが、この画像形成用偏光板９はダイクロイックプリズム１１の出射面に１枚だけ設けて各液晶パネル７Ｒ，７Ｇ，７Ｂを透過した光を画像光とするのに共用してもよく、さらにこの画像形成用偏光板９は、その偏光軸方向を各液晶パネル７Ｒ，７Ｇ，７Ｂの入射光偏光板８の偏光軸方向とほぼ直交させて設けてもよい。
　【００７０】ただし、画像形成用偏光板９の偏光軸方向を入射光偏光板８の偏光軸方向とほぼ直交させると、入射光偏光板８を透過して各液晶パネル７Ｒ，７Ｇ，７Ｂに入射する光の振動方向と、画像形成用偏光板９を透過した画像光の振動方向とがほぼ９０度ずれるが、この場合でも、ダイクロイックミラー１６ａ，１６ｂにより分離された各色の光をそれぞれミラーにより同一方向の偏光成分が強い光として各液晶パネル７Ｒ，７Ｇ，７Ｂに入射させるとともに、投影ミラー５，６を、投影レンズ１０を通ったフルカラー画像光の振動方向（画像形成用偏光板９を透過した画像光の振動方向）に対して直交する方向に傾斜させれば、上記実施例と同様に、スクリーン２に投影されるフルカラー画像を、赤、緑、青の各色の強さをバランスさせた品質のよい画像とすることができる。
　【００７１】さらに、上記実施例では、ダイクロイックプリズム１１を介して投影レンズ１０と対向する液晶パネルを緑色画像表示用液晶パネル７Ｇとし、ダイクロイックプリズム１１の両側に配置する液晶パネルを赤および青色画像表示用液晶パネル７Ｒ，７Ｂとしているが、これら各液晶パネル７Ｒ，７Ｇ，７Ｂの配置は上記実施例に限られるものではない。
　【００７２】
　【発明の効果】本発明の投影型液晶表示装置は上記のような構成のものであるから、３枚の液晶パネルと１つの光源と投影レンズとを有し、前記光源からの光を赤、緑、青の三原色光に分離して、その赤色光を第１の液晶パネルに、緑色光を第２の液晶パネルに、青色光を第３の液晶パネルにそれぞれ入射させるとともに、前記各液晶パネルを透過した赤、緑、青の光を重ね合せてフルカラー画像光をつくり、このフルカラー画像光を前記投影レンズによりスクリーンに投影するものでありながら、スクリーンに投影されるフルカラー画像を、明るく品質のよい画像とすることができる。
【図面の簡単な説明】
　【図１】本発明の一実施例を示す背面投影型液晶表示装置の縦断側面図。
　【図２】上記表示装置における投影ユニットの拡大図。
　【図３】図１のＩＩＩ−ＩＩＩに沿う拡大断面図。
　【図４】従来の背面投影型液晶表示装置の縦断側面図。
　【符号の説明】
１…ケース、２…透過型スクリーン、４…投影ユニット、５，６…投影ミラー、７Ｒ…赤色画像表示用液晶パネル、７Ｇ…緑色画像表示用液晶パネル、７Ｂ…青色画像表示用液晶パネル、８…入射光偏光板、９…画像形成用偏光板、１０…投影レンズ、１１…画像合成用ダイクロイックプリズム、１２…光源、１６ａ…青色光分離用ダイクロイックミラー、１６ｂ…赤緑色光分離用ダイクロイックミラー、１７ａ，１７ｂ，１７ｃ…青色光反射ミラー、１８…赤緑色光反射ミラー、１９…赤色光反射ミラー、２０…緑色光反射ミラー、Ｒ…赤色光、Ｇ…緑色光、Ｂ…青色光。